(57)【要約】【目的】  本考案は集水管の引抜き防止具に関するもので、地山における余掘部分の手前までドリルパイプを引き出して当該余掘部分に保孔管先端部に引き抜け防止金具を設置することで集水管の抜け出し防止を図ることを目的とする。【構成】  集水管の引抜き防止具において、集水管(1)に連結した引抜き防止管体(2)の先端に左右一対の支柱(2)を設け、この支柱先端部に断面が半円形を成す左右一対の穴抜止体(4)・(4)を末広に開閉するように対面して基端部を軸結合し、その結合軸(5)に当該孔抜止体を最大約９０度に常時末広がり作用する拡開バネ(6)を巻装し、その孔抜止体(4)の先端部を削孔内壁に食い付くように、また基端部(42)同士は９０度になるようにそれぞれ約４５度の鋭角に成形し、且つ孔抜止体(4)・(4)の基端の対面に位置決め軸ピン(7)を支柱(3)の先端に固着した構成。【選択図】      図１
0003122595.tif 000002
【実用新案登録請求の範囲】
【請求項１】
集水管(1)に連結した引抜き防止金具(2)の先端に左右一対の支柱(2)を設け、この支柱先端部に断面が半円形を成す左右一対の孔抜止体(4)・(4)を末広に開閉するように対面して基端部を軸結合し、その結合軸(5)に当該孔抜止体を最大約９０度に放射状に作用する拡開バネ(6)を巻装し、その孔抜止体(4)の先端部を孔壁に食い付くように、また基端部(42)同士は９０度になるようにそれぞれ約４５度の鋭角に成形し、且つ孔抜止体(4)の基端の対面に位置決め軸ピン(7)を支柱(3)の先端に固着したことを特徴とする集水管の引抜き防止具。
【考案の詳細な説明】
【技術分野】
【０００１】
本考案は集水管の引抜き防止具に関するもので、地山における余掘部分の手前までドリルパイプを引き出して当該余掘部分に集水管先端部に引き抜け防止金具を設置することで集水管の抜け出し防止を図ることを目的とする。
【背景技術】
【０００２】
一般に集水ボーリングで特に地下水の排水量が多量の場合、集水管の挿入作業もきわめて困難であるが、ケーシングの抜管する際にも地下水と共に土砂がケーシング内に流入してジャーミング現象となり、集水管が一緒に引き抜けてくる現象も発生する。
【０００３】
このような現象の場合、過去の対応策として硬質塩化ビニール管の集水管に替えてSGP配管用炭素鋼管（ガス管）を集水管として用い、ガス管の先端にメタルクラウンを取付けて岩に介入させて抜け出さないように工夫して行ってきた。しかしながら、ガス管は長い年月の間に水質、土質条件等の環境から管理事業を早めに行う必要があった。
【０００４】
そこで、従来においても地中に埋め込んだ集水管が土中から抜けにくくする技術が特許文献１に示すように開示されている。
【特許文献１】特開２０００−１１０１７０号公開公報
【特許文献２】特開２００５−１７９９９９号公開公報  上記特許文献１の考案にあっては、固定筒の先端内部に複数の拡径バーの基端部を回動自在に軸止めし、固定筒に嵌合する摺動筒内に収容したスプリングの付勢によって、拡径バーの先端を固定筒と摺動筒のスリット孔から突出して拡径するようになっている構成である。  また、特許文献２の考案にあっては、集水管の引抜き防止具において、集水管の先端に装着するための裁頭円錐形コーン本体の頭頂部位において複数の板バネを放射状に向けて座板に固着し、当該座板をコーン本体の頭頂部に止着したものである。
【考案の開示】
【考案が解決しようとする課題】
【０００５】
ところが、上記特許文献１の考案は、前記拡径バーが棒軸であるため、スプリングの付勢がないと自力では拡径しない。そしてそのスプリングの収容部分だけ先端を余分に出っ張らさなければならなかった。
また、特許文献２の考案は、集水管の引抜防止のための板バネで撓むため、板バネの本数が少ないと引抜け防止にはならず、どうしても４〜５枚以上は必要としていた。
【課題を解決するための手段】
【０００６】
そこで本考案は従来の課題を解決し、且つ発明の目的を達成させるものである。すなわち、集水管の引抜き防止具において、集水管の先端に左右一対の支柱を設け、この支柱先端部に断面が半円形を成す左右一対の孔抜止体を末広に開閉するように基端部を軸結合し、その結合軸に当該孔抜止体を最大約９０度に常時放射状に作用する拡開バネを巻装し、その孔抜止体の先端部を孔壁に食い付くように、また基端部同士は９０度に対面するようにそれぞれ約４５度の鋭角に成形し、且つ孔抜止体の基端の対峙面に位置決め軸体を支柱の先端に固着したものである。
【考案の効果】
【０００７】
本考案は上記の構成であるから次の効果がある。第１に、孔抜止体が厚肉の半円形を成し、その両端部を鋭角に成形した構成になっているから、最大開き角度が約９０度となり、且つその孔抜止体は２本一対でも十分に引抜き作用が強大に生じても変形することがなく十分な引抜き止め効果を有する。
第２に、孔抜止体はその横断面が半円形を成し、且つその先端が約４５度の鋭角に成形されているので、最大に開くと約９０度で孔内の壁に確実に食い付き、当該孔抜止体が閉じたときは、２本の孔抜止体の外表面が集水管の長さ方向の外表面とほぼ平行に畳まれるから、集水管の孔内への挿入がスムーズになる。
【考案を実施するための最良の形態】
【０００８】
上記の構成において、地滑り防止工事等として横ボーリング工とも称される地下水排除工を行う地質に、硬質岩、または泥岩地帯ではボーリング工事を行っても孔内崩壊を起こすことは少なく、横ボーリング作業はケーシングを継ぎ足しつつ予定深度まで削孔する。
【０００９】
そして、削孔終了後において、インナーロットを引抜き集水管を挿入する。地下水または、裂ヶ水が伴い地質が、レキ質土、砂質土のような土質箇所では、孔内崩壊が発生し易い。
孔内崩壊が発生すると、集水管１を挿入した後にケーシング１４を引き抜く際に、集水管もー緒に引抜ける。
【００１０】
作業例としては、(1)集水管１を現場の条件に合わせて適当な長さに連結する。 (2)先端部位の集水管１の先端に引抜き防止金具２の基端部を結合する。(3)集水管１の先端に引抜き防止金具２を取付ける。(4)集水管１をケーシング内の孔底に到達するまで挿入した後、ケーシング１４を０．３m〜０．５m程度引抜き、引抜き防止金具２を削孔Ｈの内壁に食い付かせる。
【実施例】
【００１１】
以下、図面に基づいて説明する。１は集水管であり、先端に雄ネジ９（又は雌ネジ１０）を、基端に雌ネジ１０（又は雄ネジ９）をそれぞれ設けて長尺に連結可能にしてある。また、その集水管は、一般に直径約５０ｍｍの金属製のガス管を用いるが、規格「VP−40」の硬質塩化ビニール管を用いることも可能である。２は集水管１の先端に基端部を連結した引抜き防止用金具、３は集水管２の先端に設けた２本一対の支柱であり、その基部を引抜き防止用金具２の外面に溶接で固着してある。また、当該防止用金具を硬質塩化ビニール管に代えて用いる場合は、複数のボルト・ナットを用いて支柱３の基部を取付けるようにする。
４は支柱３の先端部に断面が半円形を成す左右一対の穴抜止体であり、直径５０ｍｍ程度の鋼管を直径方向に二つ割りにして横断面を半円形にし、且つ長さＬ≒１７０ｍｍの両端を約４５度に成形し、その基端部同士を対面させて支柱３に軸５で結合してある。この場合、孔抜止体４の基端部同士を対面させると約９０度に設定されている。
６は孔抜止体４の支柱３に対する結合軸５に巻装したコイルバネであり、当該孔抜止体を常に９０度に拡開状態に設定してある。この９０度に拡開したときの最大寸法Ｒは約２４０ｍｍである。７は孔抜止体４の基端の対峙面の位置において支柱３の先端部に固着した軸ピン、８はその軸ピン用凹部である。
９は連結用集水管１の一端部に設けた雄ねじであり、１０は他端部に設けた雌ねじである。
１１は引抜け防止用金具２の基端部に設けた雌ねじであり、集水管１の先端に連結するようになっている。１２は集水管１にあけた複数に集水孔である。
【００１２】
（１）クローラドリルの公称径９５ｍｍの内径を有し、且つ先端に刃部１６付きの削孔ビット１５を有するパイプ形ケーシング１４によって、法面から横向きに設定深さで削孔していく。そして、削孔Ｈの深さに応じてケーシング１４及びインナーロッド１３を結合しながら挿入し続け、当該ドリルパイプ及びインナーロッド１３が所定の深さまで到達する。（図６）
【００１３】
（２）所定の深さまで到達したケーシング１４及びインナーロッド１３は、そのケーシング１４は残してインナーロッド１３だけの引き抜きを行う。（図７）
【００１４】
（３）インナーロッド１３の引き抜きを完了したケーシング１４の中に、先端の開口孔抜止体４を装着してある集水管１を挿入する。このとき、矢印状に開いる孔抜止体４を拡開バネ６に抗しながら閉じてケーシング内にすっぽり納めた状態で押し進めていく。（図８）
【００１５】
（４）集水管１の先端部がケーシング１４の先端部に到達して当該集水管の挿入が完了すると、ケーシング１４の引き抜きが行われる。このとき、ケーシング１４の引き抜き開始時は、集水管１も当該ケーシングと一緒に抜管作用が生じるので、適宜集水管１に押圧力を加えて抜けないようにする。そして、引き抜かれるケーシング１４の先端部位が孔抜止体４の先端を越えると、当該パイプ内で閉じた状態の孔抜止体４が拡開バネ６の縮小力で拡径して削孔Ｈの内面に圧接する。この状態で集水管１に引き抜き作用が生じた場合、放射状に拡径している孔抜止体４の先端が削孔壁面に鋭角的に食い込んで集水管１の抜け止め作用が生じる。（図９）
【図面の簡単な説明】
【００１６】
【図１】本考案に係る集水管の引抜き防止具の正面図である。
【図２】図１の２−２線に沿う拡大断面図である。
【図３】図１の３−３線に沿う拡大断面図である。
【図４】図１の斜視図である。
【図５】図１の使用状態を示す一部の拡大断面図である。
【図６】図６〜図９は本発明に係る集水管の引抜き防止具を用いた作業工程を示した説明図であり、図６はドリルパイプとインナーロッドを所定の深さまで削孔して挿入した縦断面図である。
【図７】図６からインナーロッドだけを引き抜いた状態の縦断面図である。
【図８】インナーロッドを引き抜いたドリルパイプを穴抜止体付き集水管を挿入している状態の縦断面図である。
【図９】削孔先端に到達した集水管を残してドリルパイプを引き抜いている状態の縦断面図である。
【符号の説明】
【００１７】
１…集水管
２…引抜き防止管体
３…軸受金具
４…孔抜止体
５…孔抜止体の結合軸
６…孔抜止体の拡開バネ
７…軸ピン
８…軸ピン用凹部
９…集水管の雄ねじ
１０…集水管の雌ねじ
１１…引抜き防止管体基部のネジ
１２…集水孔
１３…インナーロッド
１４…ドリルパイプ
１５…削孔ビット
１６…削孔ビットの刃部
【図１】
0003122595.tif 000003
【図２】
0003122595.tif 000004
【図３】
0003122595.tif 000005
【図４】
0003122595.tif 000006
【図５】
0003122595.tif 000007
【図６】
0003122595.tif 000008
【図７】
0003122595.tif 000009
【図８】
0003122595.tif 000010
【図９】
0003122595.tif 000011
【手続補正書】
【提出日】平成18年4月7日(2006.4.7)
【手続補正１】
【補正対象書類名】実用新案登録請求の範囲
【補正対象項目名】全文
【補正方法】変更
【補正の内容】
【実用新案登録請求の範囲】
【請求項１】
集水管(1)に連結した引抜き防止金具(2)の先端に左右一対の支柱(2)を設け、この支柱先端部に断面が半円形を成す左右一対の孔抜止体(4)・(4)を末広に開閉するように対面して基端部を軸結合し、その結合軸(5)に当該孔抜止体を最大約９０度に拡開作用する拡開バネ(6)を巻装し、その孔抜止体(4)の先端部(41)を孔壁に食い付くように、また基端部(42)同士は最大約９０度になるようにそれぞれ約４５度の鋭角に成形し、且つ孔抜止体(4)の基端の対面に位置決め軸ピン(7)を支柱(3)の先端に固着したことを特徴とする集水管の引抜き防止具。
【手続補正２】
【補正対象書類名】明細書
【補正対象項目名】０００６
【補正方法】変更
【補正の内容】
【０００６】
そこで本考案は従来の課題を解決し、且つ発明の目的を達成させるものである。すなわち、集水管の引抜き防止具において、集水管に連結した引抜き防止金具の先端に左右一対の支柱を設け、この支柱先端部に断面が半円形を成す左右一対の孔抜止体を末広に開閉するように対面して基端部を軸結合し、その結合軸に当該孔抜止体を最大約９０度に拡開作用する拡開バネを巻装し、その孔抜止体の先端部を孔壁に食い付くように、また基端部同士は最大約９０度になるようにそれぞれ約４５度の鋭角に成形し、且つ孔抜止体の基端の対面に位置決め軸ピンを支柱の先端に固着したものである。
【手続補正３】
【補正対象書類名】明細書
【補正対象項目名】００１０
【補正方法】変更
【補正の内容】
【００１０】
作業例としては、(1)集水管１を現場の条件に合わせて適当な長さに連結する。 (2)先端部位の集水管１の先端に引抜き防止金具２の基端部を結合する。(3)集水管１の先端に引抜き防止金具２を取付ける。(4)集水管１をケーシング内の孔底に到達するまで挿入した後、ケーシング１４を０．３m〜０．５m程度引抜き、引抜き防止金具２の孔抜止体４・４の先端４1・４1を削孔Ｈの内壁に食い付かせる。
【手続補正４】
【補正対象書類名】明細書
【補正対象項目名】００１１
【補正方法】変更
【補正の内容】
【００１１】
以下、図面に基づいて説明する。１は集水管であり、先端に雄ネジ９（又は雌ネジ１０）を、基端に雌ネジ１０（又は雄ネジ９）をそれぞれ設けて長尺に連結可能にしてある。また、その集水管は、一般に直径約５０ｍｍの金属製のガス管を用いるが、規格「VP−40」の硬質塩化ビニール管を用いることも可能である。２は集水管１の先端に基端部を連結した引抜き防止用金具、３は集水管２の先端に設けた２本一対の支柱であり、その基部を引抜き防止用金具２の外面に溶接で固着してある。また、当該防止用金具を硬質塩化ビニール管に代えて用いる場合は、複数のボルト・ナットを用いて支柱３の基部を取付けるようにする。
４は支柱３の先端部に断面が半円形を成す左右一対の孔抜止体であり、直径５０ｍｍ程度の鋼管を直径方向に二つ割りにして横断面を半円形にし、且つ長さＬ≒１７０ｍｍの基端４2を約４５度に成形し、その基端部同士を対面させて支柱３に軸５で結合してある。この場合、孔抜止体４の基端部同士を対面させると約９０度に設定され、先端４1が末広状に開いている。
６は孔抜止体４の支柱３に対する結合軸５に巻装したコイルバネであり、当該孔抜止体を常に９０度の拡開状態に設定してある。この９０度に拡開した場合における孔抜止体４の先端４1の最大直径Ｒに相当する寸法は約２４０ｍｍである。７は孔抜止体４の基端の対峙面位置において支柱３の先端部に固着した軸ピン、８はその軸ピン用凹部である。
９は連結用集水管１の一端部に設けた雄ねじであり、１０は他端部に設けた雌ねじである。
１１は引抜き防止用金具２の基端部に設けた雌ねじであり、集水管１の先端に連結するようになっている。１２は集水管１にあけた複数に集水孔である。
【手続補正５】
【補正対象書類名】図面
【補正対象項目名】図１
【補正方法】変更
【補正の内容】
【図１】
0003122595.tif 000012
【手続補正６】
【補正対象書類名】図面
【補正対象項目名】図５
【補正方法】変更
【補正の内容】
【図５】
0003122595.tif 000013
【手続補正書】
【提出日】平成18年4月10日(2006.4.10)
【手続補正１】
【補正対象書類名】明細書
【補正対象項目名】００１２
【補正方法】変更
【補正の内容】
【００１２】
「具体的な作業工程例」
（１）クローラドリルの公称径９５ｍｍの内径を有し、且つ先端に刃部１６付きの削孔ビット１５を有するパイプ形ケーシング１４によって、法面Ｇから横向きに設定深さで削孔していく。そして、削孔Ｈの深さに応じてケーシング１４及びインナーロッド１３を結合しながら挿入し続け、当該ドリルパイプ及びインナーロッド１３が所定の深さまで到達する。（図６）